(57)【要約】【課題】製造のために使用される材料が少なくなるパッケージを提供する。【解決手段】パッケージ１は、開口２３の周囲にフランジ３０が形成されているトレー２０、および、トレー２０を包装した袋１０を備える。パッケージ１は、袋１０の縁がシールされた部分である外シール部１５が形成され、フランジ３０の上面３２の少なくとも一部と袋１０とが互いにシールされた部分である内シール部１６が形成されていることにより、トレー２０の内部の空間である収容空間２４が袋１０により閉鎖されている。パッケージ１は、内シール部１６と外シール部１５との間に、袋１０同士がシールされた部分である中間シール部１７が形成されている。【選択図】図１
2015224045.tif 000002
【特許請求の範囲】
【請求項１】
開口の周囲にフランジが形成されているトレー、および、前記トレーを包装した袋を備えるパッケージであって、
前記袋の縁がシールされた部分である外シール部が形成され、
前記フランジの上面の少なくとも一部と前記袋とが互いにシールされた部分である内シール部が形成されていることにより、前記トレーの内部の空間である収容空間が前記袋により閉鎖され、
前記内シール部と前記外シール部との間に、前記袋同士がシールされた部分である中間シール部が形成されている
パッケージ。
【請求項２】
前記中間シール部のシール強度が、前記内シール部のシール強度よりも高い
請求項１に記載のパッケージ。
【請求項３】
前記外シール部のシール強度が、前記内シール部のシール強度、および、前記中間シール部のシール強度よりも高い
請求項１または２に記載のパッケージ。
【請求項４】
前記袋の内部の空間、かつ、前記トレーの周囲の空間であるトレー外空間が、前記中間シール部が形成されていることにより分割されている
請求項１〜３のいずれか一項に記載のパッケージ。
【発明の詳細な説明】
【技術分野】
【０００１】
本発明は、トレーが袋により包装されたパッケージに関する。
【背景技術】
【０００２】
パッケージは、一例として、内容物である食品を包装するために用いられる。このパッケージによれば、トレーに載せられた内容物がトレーからこぼれ落ちないように、トレーの開口の周囲とシートとがシールされることにより、その開口がシートにより閉鎖され、さらにそのようにシールされたトレーが包装用の袋に包装される。また、この袋は、例えば、内容物の内容を表示する情報等を印刷するために用いられる。なお、特許文献１は、このようなパッケージの一例を開示している。
【先行技術文献】
【特許文献】
【０００３】
【特許文献１】特許第４５４３５９７号公報（段落［００２１］等）
【発明の概要】
【発明が解決しようとする課題】
【０００４】
ところで、パッケージの袋の大きさは、主に、トレーを適切に収容できるかどうか、および、袋の製造に使用する材料に無駄が生じないかどうかという観点から設定される。一方、本願発明者は、パッケージの製造のために使用される材料をより少なくするためには、パッケージの一部分である袋だけではなく、パッケージ全体の構造を見直すことが好ましいと考えた。
【０００５】
本発明の目的は、製造のために使用される材料が少なくなるパッケージを提供することである。
【課題を解決するための手段】
【０００６】
〔１〕本パッケージの独立した一形態によれば、開口の周囲にフランジが形成されているトレー、および、前記トレーを包装した袋を備えるパッケージであって、前記袋の縁がシールされた部分である外シール部が形成され、前記フランジの上面の少なくとも一部と前記袋とが互いにシールされた部分である内シール部が形成されていることにより、前記トレーの内部の空間である収容空間が前記袋により閉鎖され、前記内シール部と前記外シール部との間に、前記袋同士がシールされた部分である中間シール部が形成されている。
【０００７】
本パッケージの袋は、トレーの開口を閉鎖する役割、および、トレーを包装する役割を持つ。このため、トレーの開口がシートによりシートされ、さらに、このトレーが袋により包装されるパッケージと比較して、パッケージの製造のために使用される材料が少なくなる。
【０００８】
本パッケージによれば、さらに次の効果が得られる。例えば、食品等のように、加熱されることにより水蒸気を発生する物体がトレーに収容されている場合には、本パッケージが電子レンジ等の加熱手段により加熱されたとき、内容物から水蒸気が発生する。一方、本パッケージのトレーの開口は、袋により閉鎖されている。このため、内容物から発生した水蒸気によりトレーの内部の圧力が次第に上昇し、袋のうちのトレーの開口を閉鎖している部分が膨張する。これにより、内シール部に対して、袋を上面におけるフランジの根本側から剥離させるような力が作用する。
【０００９】
そして、この力により、内シール部の一部において袋が上面から剥離したとき、トレーの内部の水蒸気がその剥離した部分を介して袋の内部の空間のうちのトレーの周囲の空間に流れ出る。このため、袋の内部の空間のうちのトレーの周囲の空間の圧力が次第に上昇し、袋のうちのトレーの開口を閉鎖している部分以外の部分も膨張しはじめる。
【００１０】
トレーのうち、内シール部が剥離していない部分は、袋の膨張にともないパッケージが置かれている面から離間する方向に持ち上げられる。一方、トレーのうち、内シール部が剥離している部分は、トレーの自重によりパッケージが置かれている面に接近する方向に移動する。このため、袋が膨張する過程においてトレーが傾き、トレーに載せられた内容物がトレーからこぼれ落ちるおそれがある。
【００１１】
また、袋が膨張することにより、トレーのうち内シール部が剥離していない部分の持ち上げられる量が大きくなるにつれて、内シール部の剥離していない部分と内シール部が剥離している部分との高低差が大きくなる。このため、袋の膨張量が大きくなるにつれてトレーの傾きが大きくなる。
【００１２】
本パッケージは、このような事項を踏まえ、内シール部と外シール部との間に、袋同士がシールされた部分である中間シール部が形成されている。袋のうちの中間シール部が形成されている部分は、袋のうちのトレーの開口を閉鎖している部分以外の部分が膨張しはじめたときに膨張することが妨げられるため、袋の膨張量を小さくすることができる。このため、内シール部が部分的に剥離しても、トレーのうち内シール部が剥離している部分と内シール部が剥離していない部分との高低差が大きくなりにくい。これにより、トレーに載せられた内容物がトレーからこぼれ落ちにくい。
【００１３】
〔２〕前記パッケージに従属する一形態によれば、前記中間シール部のシール強度が、前記内シール部のシール強度よりも高い。
本パッケージによれば、中間シール部のシール強度が、内シール部のシール強度よりも高いため、袋が膨張する過程において中間シール部よりも先に内シール部が剥離しやすい。このため、袋が膨張する過程において、中間シール部が剥離したときに、内シール部の全体において袋が上面から剥離している状況が形成されやすくなる。このため、エンドユーザーが、加熱されたパッケージのトレーを袋から引き出すときに、内シール部を剥離させる必要が生じにくくなり、トレーを袋から取り出しやすくなる。
【００１４】
〔３〕前記パッケージに従属する一形態によれば、前記外シール部のシール強度が、前記内シール部のシール強度、および、前記中間シール部のシール強度よりも高い。
本パッケージによれば、外シール部のシール強度が、内シール部のシール強度、および、中間シール部のシール強度よりも高いため、外シール部よりも先に内シール部および中間シール部が剥離しやすい。このため、袋が膨張する過程において、外シール部が剥離したときに、内シール部の全体において袋が上面から剥離している状況、および、中間シール部の全体が剥離している状況が形成されやすくなる。このため、エンドユーザーが、加熱されたパッケージのトレーを袋から引き出すときに、内シール部および中間シール部を剥離させる必要が生じにくくなり、トレーを袋から取り出しやすくなる。
【００１５】
〔４〕前記パッケージに従属する一形態によれば、前記袋の内部の空間、かつ、前記トレーの周囲の空間であるトレー外空間が、前記中間シール部が形成されていることにより分割されている。
【００１６】
本パッケージによれば、袋のうちのトレーの開口を閉鎖している部分以外の部分が膨張しはじめたとき、トレー外空間のうち中間シール部により分割された少なくとも一部の空間に水蒸気が入り込まない。このため、袋の膨張量をより小さくすることができ、内シール部が部分的に剥離しても、トレーのうち内シール部が剥離している部分と内シール部が剥離していない部分との高低差がより大きくなりにくい。これにより、トレーに載せられた内容物がトレーからより一層こぼれ落ちにくい。
【発明の効果】
【００１７】
本パッケージによれば、製造のために使用される材料を少なくすることができる。
【図面の簡単な説明】
【００１８】
【図１】実施形態のパッケージの平面図。
【図２】図１のＤ２−Ｄ２線に沿う端面図。
【図３】図２のトレーの内圧が上昇した状態を示す端面図。
【図４】図３の内シール部の一部が剥離した状態を示す端面図。
【図５】図４の内シール部の全てが剥離した状態を示す端面図。
【図６】図５の中間シール部の一部が剥離した状態を示す端面図。
【図７】図６の外シール部の一部が剥離した状態を示す端面図。
【図８】図７の外シール部が切り取られた状態を示す端面図。
【図９】その他の実施形態のパッケージの平面図。
【図１０】その他の実施形態のパッケージの平面図。
【発明を実施するための形態】
【００１９】
図１を参照して、パッケージ１の構成について説明する。
パッケージ１は、一例として液体の内容物１００が収容されたトレー２０、および、トレー２０を包装した袋１０を備える。袋１０は、一枚の積層シートが折り返され、対向する縁が互いにヒートシールされていることにより、密閉された空間を形成し、この空間にトレー２０を収容している。なお、図１に示されている袋１０の縁のドットは、折り返された一枚の積層シートの縁が互いにヒートシールされた部分である外シール部１５を示している。
【００２０】
袋１０を形成する積層シートは、一例として、透明な材料により形成された最外層、中間層、および、最内層が積層された３層構造により構成されている。最外層を構成する材料の一例は、ポリエチレンテレフタレートである。中間層は、一例として、印刷層、第１接着層、低密度ポリエチレン層、および、第２接着層により構成されている。印刷層は、最外層の内側に形成され、外面に絵柄および商品説明のテキスト等が印刷されている。第１接着層は、印刷層の内側に形成されている。低密度ポリエチレン層は、第１接着層の内側に形成されている。第２接着層は、低密度ポリエチレン層の内側に形成されている。
【００２１】
最内層は、第２接着層の内側に形成されている。最内層を構成する材料の一例は、混合樹脂である。混合樹脂は、直鎖状低密度ポリエチレン、低密度ポリエチレン、および、ポリブテン−１を含む。混合樹脂に含まれる直鎖状低密度ポリエチレンの割合の一例は、２０重量％である。混合樹脂に含まれる低密度ポリエチレンの割合の一例は、６０重量％である。混合樹脂に含まれるポリブテン−１の割合の一例は、２０重量％である。
【００２２】
外シール部１５は、エンドユーザーが加える比較的弱い力により剥離しない程度の範囲において、任意のシール強度を取り得る。外シール部１５のシール強度の好ましい範囲の一例は、８Ｎ／１５ｍｍ以上かつ１３Ｎ／１５ｍｍ以下である。外シール部１５の一例によれば、そのシール強度は、１１Ｎ／１５ｍｍである。
【００２３】
外シール部１５の一部を袋１０の主要な部分から切り取るための切り取り線１２が、袋１０の短手方向の一方の端部において、袋１０の長手方向の全体にわたり形成されている。２つのノッチ１３が、外シール部１５において切り取り線１２と対応する部分に形成されている。袋１０から切り取り線１２を介して外シール部１５の一部が切り取られたとき、袋１０の開口１４が開封される。
【００２４】
袋１０の短手方向の一方の端部に形成されている外シール部１５よりもトレー２０に近い位置に中間シール部１７が形成されている。中間シール部１７は、袋１０の長手方向に延伸する形状を有する。中間シール部１７は、袋１０の内部の空間のうちトレー２０の周囲の空間であるトレー外空間１１を一例として２つの空間、すなわち、大きい容積のトレー外空間１１Ａ、および、小さい容積のトレー外空間１１Ｂに分割している。中間シール部１７は、パッケージ１が搬送される過程等においてパッケージ１にかかる標準的な力により剥離しない程度の範囲において、任意のシール強度を取り得る。中間シール部１７のシール強度は、外シール部１５のシール強度よりも低いことが好ましく、その好ましい範囲の一例は、７Ｎ／１５ｍｍ以上かつ１１Ｎ／１５ｍｍ以下である。中間シール部１７の一例によれば、そのシール強度は、９Ｎ／１５ｍｍである。中間シール部１７のシール幅ＸＡは、任意の寸法を取り得る。シール幅ＸＡの好ましい寸法の一例は、５ｍｍ以上かつ２０ｍｍ以下である。一例によれば、シール幅ＸＡの寸法は、７ｍｍである。
【００２５】
図２を参照して、トレー２０の構成について説明する。
トレー２０を構成する材料の一例は、混合樹脂である。混合樹脂は、一例として、ポリプロピレンおよびタルクを含む。混合樹脂に含まれるポリプロピレンの割合の一例は、７０重量％である。混合樹脂に含まれるタルクの割合の一例は、３０重量％である。
【００２６】
トレー２０を構成する側壁２１および底壁２２は、内容物１００を収容するための空間である収容空間２４を形成している。側壁２１により形成されたトレー２０の開口２３は、袋１０により覆われている。
【００２７】
収容空間２４に向けて底壁２２から突出した１つの大きな凸である底壁凸部２２Ａ、および、収容空間２４に向けて底壁２２から突出した複数の小さな凸である微小凸部２２Ｂが、底壁２２の内面に形成されている。底壁凸部２２Ａが形成されていることにより、例えば固体の内容物がトレー２０に載せられている場合、底壁２２上の水分および油分が内容物に付着しにくい。微小凸部２２Ｂが形成されていることにより、例えば固体の内容物が底壁２２上に載せられている場合、内容物が底壁２２上において滑りにくい。
【００２８】
収容空間２４とは反対側に向けて底壁２２から突出した複数の小さな凸である微小凸部（図示略）が、底壁２２の外面に形成されている。微小凸部が形成されていることにより、底壁２２と袋１０との接触面積が小さくなるため、袋１０の内面上に水分が溜まったとしてもトレー２０を袋１０に対して動かしやすい。
【００２９】
袋１０がシールされるフランジ３０が、トレー２０の開口２３の周囲の全体を取り囲むように側壁２１の外面に形成されている。フランジ３０の根本側の部分を構成している基部３１は、側壁２１と接続されている。
【００３０】
基部３１の上面３２は、トレー２０の高さ方向において側壁２１の先端よりも高い位置に形成されている。
パッケージ１によれば、上面３２の全部と袋１０の内面とが互いにヒートシールされた部分である内シール部１６が形成されている。このため、トレー２０の開口２３が袋１０の一部により閉鎖され、内容物１００が収容空間２４に閉じ込められている。
【００３１】
図１に示されている上面３２のドットは、内シール部１６を示している。
内シール部１６は、パッケージ１が搬送される過程等においてパッケージ１にかかる標準的な力により剥離しない程度の範囲において、任意のシール強度を取り得る。内シール部１６のシール強度は、外シール部１５および中間シール部１７のシール強度よりも低いことが好ましく、その好ましい範囲の一例は、６Ｎ／１５ｍｍ以上かつ１０Ｎ／１５ｍｍ以下である。内シール部１６の一例によれば、そのシール強度は６Ｎ／１５ｍｍである。また、内シール部１６の外縁と中間シール部１７の外縁との距離であるシール間距離ＬＡは、任意の寸法を取り得る。シール間距離ＬＡの好ましい寸法は、５ｍｍ以上である。一例によれば、シール間距離ＬＡの寸法は、２０ｍｍである。
【００３２】
取手４０が、基部３１の周囲に形成されている。取手４０は、上面３２よりもトレー２０の高さ方向において下方に形成されている。取手４０の一部は、開口１４に面している。
【００３３】
図３〜図８を参照して、パッケージ１の使用方法、および、作用について説明する。
図３に示されるように、パッケージ１が電子レンジ等の加熱手段（図示略）により加熱されることにより、内容物１００から水蒸気が発生する。また、水蒸気の発生にともない収容空間２４の圧力が次第に上昇し、袋１０のうちのトレー２０の開口２３を閉鎖している部分が膨張し、袋１０を上面３２における収容空間２４側から剥離させるように作用する力が内シール部１６に対して加えられる。
【００３４】
内シール部１６に加えられる力により、内シール部１６の一部において袋１０が上面３２から剥離したとき、収容空間２４に閉じ込められていた水蒸気がその剥離した部分を介して大きい容積のトレー外空間１１Ａに流れ出る。このため、大きい容積のトレー外空間１１Ａの圧力が次第に上昇し、袋１０のうちの大きい容積のトレー外空間１１Ａを形成している部分が膨張しはじめる。
【００３５】
図４は、収容空間２４の圧力の上昇により、一例として、図４に示される断面の部分において、内シール部１６の一部が剥離し、大きい容積のトレー外空間１１Ａの圧力が上昇しはじめた状態を示している。トレー２０のうち、内シール部１６により袋１０と繋がっている部分、すなわち、内シール部１６が剥離していない部分は、大きい容積のトレー外空間１１Ａの圧力が上昇して袋１０が膨張することにより、パッケージ１が設置されている電子レンジの皿（図示略）等の設置面から持ち上げられる。そして、パッケージ１が設置面から持ち上げられているとき、トレー２０および内容物１００の自重により、袋１０を上面３２から剥離させるように作用する力が内シール部１６に加えられる。
【００３６】
一方、トレー２０のうち内シール部１６が剥離している部分は、大きい容積のトレー外空間１１Ａの圧力が上昇して袋１０が膨張しているとき、トレー２０および内容物１００の自重により設置面に接近する方向に移動する。このため、大きい容積のトレー外空間１１Ａの圧力が上昇して袋１０が膨張することにより、トレー２０が傾く。パッケージ１は、中間シール部１７が形成されていることにより、内容物１００から発生した水蒸気が大きい容積のトレー外空間１１Ａから小さい容積のトレー外空間１１Ｂに入り込まない。このため、中間シール部１７により、小さい容積のトレー外空間１１Ｂを形成している袋１０の膨張が妨げられる。
【００３７】
図５に示されるように、大きい容積のトレー外空間１１Ａの圧力が上昇して袋１０が膨張することにより、内シール部１６の全部が剥離したとき、トレー２０が袋１０から完全に分離し、設置面上に存在する袋１０の内面上に落下する。
【００３８】
図６に示されるように、トレー２０が袋１０から完全に分離した後も内容物１００が水蒸気を発生し続けることにより、大きい容積のトレー外空間１１Ａの圧力がさらに上昇し、その圧力が中間シール部１７を剥離させる程度の大きさに達したとき、中間シール部１７の一部が剥離する。これにより、大きい容積のトレー外空間１１Ａと小さい容積のトレー外空間１１Ｂとが連通する。このため、水蒸気が大きい容積のトレー外空間１１Ａから小さい容積のトレー外空間１１Ｂに流れ出る。これにより、トレー外空間１１の圧力がさらに上昇する。
【００３９】
図７に示されるように、トレー外空間１１の圧力が外シール部１５を部分的に剥離させる程度の大きさに達したとき、外シール部１５の一部が剥離してトレー外空間１１の水蒸気がトレー外空間１１から袋１０の外部に流れ出る。このため、外シール部１５の一部が剥離していないときと比較して、袋１０の内圧の上昇が抑えられる。これにより、袋１０の内圧が過度に上昇して袋１０が破裂するような状況が生じにくくなる。パッケージ１の加熱が終了した後、エンドユーザーは、一例として、外シール部１５のうち剥離していない部分を掴んで加熱されたパッケージ１を加熱手段の外部に取り出し、外シール部１５の一部を切り取り線１２に沿って切り取る。
【００４０】
図８に示されるように、エンドユーザーは、加熱が終了し外シール部１５の一部が切り取られた袋１０の開口１４を開封する。パッケージ１によれば、トレー２０の取手４０の一部が開口１４と面しているため、開口１４が開封されたとき、取手４０の一部が開口１４を介して外部を臨む。このため、エンドユーザーが取手４０に手を掛けやすい。そして、エンドユーザーは、取手４０を掴んで、トレー２０を袋１０から取り出す。
【００４１】
パッケージ１によれば、以下の効果が得られる。
（１）パッケージ１の袋は、トレー２０の開口２３を閉鎖する役割、および、トレー２０を包装する役割を持つ。このため、トレー２０の開口２３がシートによりシートされ、さらに、このトレー２０が袋１０により包装されるパッケージと比較して、製造のために使用される材料が少なくなる。
【００４２】
（２）袋１０が膨張することにより、トレー２０のうち内シール部１６が剥離していない部分の持ち上げられる量が大きくなるにつれて、内シール部１６の剥離していない部分と内シール部１６が剥離している部分との高低差が大きくなる。このため、図４に示されるようなトレー２０の傾きは、袋１０の膨張量が大きくなるにつれて大きくなる。
【００４３】
パッケージ１は、このような事項を踏まえ、内シール部１６と外シール部１５との間に、袋１０同士がシールされた部分である中間シール部１７が形成されている。袋１０のうちの中間シール部１７が形成されている部分は、袋１０のうちのトレー２０の開口２３を閉鎖している部分以外の部分が膨張しはじめたときに膨張することが妨げられるため、袋１０の膨張量を小さくすることができる。このため、内シール部１６が部分的に剥離しても、トレー２０のうち内シール部１６が剥離している部分と内シール部１６が剥離していない部分との高低差が大きくなりにくい。これにより、トレー２０に載せられた内容物１００がトレー２０からこぼれ落ちにくい。
【００４４】
（３）パッケージ１によれば、中間シール部１７のシール強度が、内シール部１６のシール強度よりも高いため、袋１０が膨張する過程において中間シール部１７よりも先に内シール部１６が剥離しやすい。このため、袋１０が膨張する過程において、中間シール部１７が剥離したときに、内シール部１６の全体において袋１０が上面３２から剥離している状況が形成されやすくなる。このため、エンドユーザーが、加熱されたパッケージ１のトレー２０を袋１０から引き出すときに、内シール部１６を剥離させる必要が生じにくくなり、トレー２０を袋１０から取り出しやすくなる。
【００４５】
（４）パッケージ１によれば、外シール部１５のシール強度が、内シール部１６のシール強度、および、中間シール部１７のシール強度よりも高いため、外シール部１５よりも先に内シール部１６および中間シール部１７が剥離しやすい。このため、袋１０が膨張する過程において、外シール部１５が剥離したときに、内シール部１６の全体において袋１０が上面３２から剥離している状況、および、中間シール部１７の全体が剥離している状況が形成されやすくなる。このため、エンドユーザーが、加熱されたパッケージ１のトレー２０を袋１０から引き出すときに、内シール部１６および中間シール部１７を剥離させる必要が生じにくくなり、トレー２０を袋１０から取り出しやすくなる。
【００４６】
（５）パッケージ１によれば、袋１０のうちのトレー２０の開口２３を閉鎖している部分以外の部分が膨張しはじめたとき、中間シール部１７により分割されている小さい容積のトレー外空間１１Ｂに水蒸気が入り込まない。このため、袋１０のうちの小さい容積のトレー外空間１１Ｂを形成している部分の膨張が妨げられるため、袋１０の膨張量を小さくすることができる。このため、内シール部１６が部分的に剥離しても、トレー２０のうち内シール部１６が剥離している部分と内シール部１６が剥離していない部分との高低差がより大きくなりにくい。これにより、トレー２０に載せられた内容物１００がトレー２０からより一層こぼれ落ちにくい。
【００４７】
（６）本願発明者が実施した試験によれば、シール間距離ＬＡが５ｍｍ以上に設定されている場合、パッケージ１の加熱にともない内容物１００から水蒸気が発生したとき、内シール部１６がより剥離しやすい。
【００４８】
パッケージ１によれば、この結果を踏まえ、シール間距離ＬＡが５ｍｍ以上に設定されている。このため、そのようにシール間距離ＬＡが設定されていない場合と比較して、パッケージ１が加熱されることにともない内シール部１６が剥離しやすくなる。
【００４９】
（７）本願発明者が実施した試験によれば、シール幅ＸＡの寸法が５ｍｍ以上の大きさに設定されている場合、パッケージ１の加熱にともない内容物１００から水蒸気が発生したとき、内シール部１６の全体において袋１０が上面３２から剥離した後に中間シール部１７が剥離しやすい。また、シール幅ＸＡの寸法が、２０ｍｍ以下の大きさに設定されている場合、パッケージ１の加熱にともない内容物から水蒸気が発生したとき、外シール部１５の一部が剥離する前に中間シール部１７が剥離しやすい。
【００５０】
パッケージ１によれば、この結果を踏まえ、中間シール部１７のシール幅ＸＡの寸法が５ｍｍ以上かつ２０ｍｍ以下の範囲に設定されている。このため、パッケージ１の加熱にともない内容物１００から水蒸気が発生したとき、内シール部１６の全体において袋１０が上面３２から剥離した状況が形成された後に、中間シール部１７、および、外シール部１５の順に剥離しやすい。
【００５１】
本パッケージが取り得る具体的な形態は、上記実施形態に例示された形態に限定されない。本パッケージは、上記実施形態とは異なる各種の形態を取り得る。以下に示される上記実施形態の変形例は、本パッケージが取り得る各種の形態の一例である。
【００５２】
・変形例のパッケージによれば、図９に示されるように、中間シール部１７０がパッケージの長手方向の中央に１か所形成される。
・変形例のパッケージによれば、図１０に示されるように、中間シール部２７０が、袋１０の角の周辺に２ヶ所形成される。
【００５３】
・変形例のパッケージによれば、２枚以上の積層シートの縁が互いにシールされることにより袋１０が形成される。
・変形例のパッケージによれば、上面３２の一部と袋１０とがシールされることにより内シール部１６が形成される。
【００５４】
・変形例のパッケージによれば、内シール部１６のシール強度が、中間シール部１７および外シール部１５のシール強度の少なくとも一方よりも高い。
・変形例のパッケージによれば、中間シール部１７のシール強度が、外シール部１５のシール強度よりも高い。
【００５５】
・変形例のパッケージによれば、トレー２０に固体の内容物１００が載せられている。
【符号の説明】
【００５６】
１…パッケージ
１０…袋
１１…トレー外空間
１５…外シール部
１６…内シール部
１７…中間シール部
２０…トレー
２３…開口
２４…収容空間
３０…フランジ
３２…上面
１００…内容物
【図１】
2015224045.tif 000003
【図２】
2015224045.tif 000004
【図３】
2015224045.tif 000005
【図４】
2015224045.tif 000006
【図５】
2015224045.tif 000007
【図６】
2015224045.tif 000008
【図７】
2015224045.tif 000009
【図８】
2015224045.tif 000010
【図９】
2015224045.tif 000011
【図１０】
2015224045.tif 000012